(57)【要約】      （修正有）【課題】より容易にコンピューターホストの内部に実装され、より効率的な放熱効果を有する改良式放熱器を提供する。【解決手段】ベースと、多数の、ベースの一端面から上へ延びる放熱フィンとからなり、多数の放熱フィンは１以上の放熱區に仕切れられ、また、１以上の放熱區には、段差があり、また、ベースと接続しない多数の放熱フィンの端面には、長い穴が開口され、これにより、１以上の段差がある放熱區により、放熱器を組み立てる時、コンピューターホスト内部の配置スペースに合わせることができる。【選択図】図１
0003102856.tif 000002
【実用新案登録請求の範囲】
【請求項１】
ベースと、多数の、当該ベースの一端面から上へ延べる放熱フィンと、からなる放熱器において、
当該多数の放熱フィンは、１以上の放熱區に仕切れられ、当該１以上の放熱區は、段差がある、ことを特徴とする改良式放熱器。
【請求項２】
当該多数の放熱フィンは、金属板体による湾曲形成されることを特徴とする請求項１に記載の改良式放熱器。
【請求項３】
当該多数の放熱フィンは、１以上の直板と、多数の、直板の端縁に接続する、互いに異なる高さを有する横板からなる、ことを特徴とする請求項１に記載の改良式放熱器。
【請求項４】
ベースと、多数の、当該ベースの一端面から上へ延べる放熱フィンと、からなる、改良式放熱器において、
当該多数の放熱フィンは、１以上の放熱區に仕切れられ、当該１以上の放熱區は、段差があり、また、当該多数の放熱フィンは、金属板体による、湾曲により、１以上の直板と、多数の、異なる段差を形成するように、直板の端縁に接続する横板と、からなりまた、当該ベースに接続しない横板上には、長い穴が開口される、ことを特徴とする改良式放熱器。
【請求項５】
当該放熱フィンは、横板上に必要とする長い穴を形成してから、湾曲により段差のある放熱區を形成する、ことを特徴とする請求項４に記載の改良式放熱器。
【請求項６】
当該放熱フィンは、横板上に必要とする長い穴を形成する同時に、湾曲により段差のある放熱區を形成する、ことを特徴とする請求項４に記載の改良式放熱器。
【請求項７】
ベースと、多数の、当該ベースの一端面から上へ延べる放熱フィンと、からなる、放熱器において、
当該多数の放熱フィンは、１以上の放熱區に仕切れられ、当該１以上の放熱區は、段差があり、且つ、当該１以上の放熱區は、それぞれに、金属板体による、湾曲形成される、ことを特徴とする改良式放熱器。
【考案の詳細な説明】
【技術分野】
【０００１】
本考案は、改良式放熱器に関し、特に、１以上の段差のある放熱區により、当該放熱器を組み立てる時、コンピューターホスト内部の配置スペースに合わせることができるので、当該放熱器は、より容易にコンピューターホストの内部に実装され、より効率な放熱効果を有するものに関する。
【背景技術】
【０００２】
一般の従来の放熱器は（図８のように）、上へ延べる多数の放熱フィン３1を有するベース３であり、当該多数の放熱フィン３1は、中実の金属板体からなり、かつ、当該多数の放熱フィン３1は、予めに設定された同じ高さにベース３上に設置され、使用する場合、当該ベース３を、コンピューターホスト内部の発熱源（例えば、中央処理装置）に貼り覆うようにして、当該ベース３が、発熱源の熱エネルギーを吸収して、それを多数の放熱フィン３1上に伝達して、放熱の効果を実現し、また、当該同じ高さにある多数の放熱フィン３1上には、更に、ファン（ファンを設置しなくても良い）を設置して、ファンにより、気流を多数の放熱フィン３1上へ案内して、放熱の効果を実現してもよく、
上記の放熱器には、コンピューターホスト内部の発熱源に対して、放熱の効果があるが、当該多数の放熱フィン３1が、予めに設定した同じ高さに、ベース３上に設置されるため、コンピューターホストの内部において、設備の拡張が行われる場合、当該多数の放熱フィン３1の高さは、ホスト内部の配置スペースに影響を与え、当該ホスト内部の配置スペースは、当該放熱器により、制限され、これにより、一般の従来の放熱器は、ユーザーが容易にコンピューターホストの内部に実装するというニーズを満足できない。
【考案の開示】
【考案が解決しようとする課題】
【０００３】
本考案の主な目的は、当該放熱器が、当該1以上の段差のある放熱區により、当該放熱器を組み立てる時、コンピューターホスト内部の配置スペースに合わせることができるので、当該放熱器は、より容易にコンピューターホストの内部に実装され、より効率な放熱効果を実現する。
【課題を解決するための手段】
【０００４】
請求項１に記載の本考案の改良式放熱器は、ベースと、多数の、当該ベースの一端面から上へ延べる放熱フィンと、からなる放熱器において、
当該多数の放熱フィンは、１以上の放熱區に仕切れられ、当該１以上の放熱區は、段差がある、ことを特徴とする。
請求項２に記載の本考案の改良式放熱器は、上記請求項１において、当該多数の放熱フィンは、金属板体による湾曲形成されることを特徴とする。
請求項３に記載の本考案の改良式放熱器は、上記請求項１において、当該多数の放熱フィンは、１以上の直板と、多数の、直板の端縁に接続する、互いに異なる高さを有する横板からなる、ことを特徴とする。
請求項４に記載の本考案の改良式放熱器は、ベースと、多数の、当該ベースの一端面から上へ延べる放熱フィンと、からなる、改良式放熱器において、
当該多数の放熱フィンは、１以上の放熱區に仕切れられ、当該１以上の放熱區は、段差があり、また、当該多数の放熱フィンは、金属板体による、湾曲により、１以上の直板と、多数の、異なる段差を形成するように、直板の端縁に接続する横板と、からなりまた、当該ベースに接続しない横板上には、長い穴が開口される、ことを特徴とする。
請求項５に記載の本考案の改良式放熱器は、上記請求項４において、当該放熱フィンは、横板上に必要とする長い穴を形成してから、湾曲により段差のある放熱區を形成する、ことを特徴とする。
請求項６に記載の本考案の改良式放熱器は、上記請求項４において、当該放熱フィンは、横板上に必要とする長い穴を形成する同時に、湾曲により段差のある放熱區を形成する、ことを特徴とする。
請求項７に記載の本考案の改良式放熱器は、ベースと、多数の、当該ベースの一端面から上へ延べる放熱フィンと、からなる、放熱器において、
当該多数の放熱フィンは、１以上の放熱區に仕切れられ、当該１以上の放熱區は、段差があり、且つ、当該１以上の放熱區は、それぞれに、金属板体による、湾曲形成される、ことを特徴とする。
【考案の効果】
【０００５】
本考案の改良式放熱器は、より容易にコンピューターホストの内部に実装され、より効率な放熱効果を有する。
【考案を実施するための最良の形態】
【０００６】
図１〜５は、本考案の第１の実施例の立体外観概念図や第１の実施例の立体分解概念図と、本考案の第２の実施例の立体外観概念図と、本考案の第３の実施例の立体外観概念図と、本考案の第４の実施例の立体外観概念図である。図のように、本考案は、改良式放熱器であり、当該放熱器１は、ベース１１と、多数の放熱フィン１２からなり、当該多数の放熱フィン１２は、一端面が当該ベース１１の一端面と隣接し、かつ、上へ延べていて、また、当該多数の放熱フィン１２は、金属板体による、湾曲により、１以上の直板１２１と、多数の、直板１２１の端縁に接続する、互いに異なる高さを有する横板１２２とからなり、当該多数の放熱フィン１２は、１以上の放熱區１３、１４に仕切れられ、当該１以上の放熱區１３、１４には、段差があり、また、当該１以上の放熱區１３、１４は、必要に応じて、異なる高さの段差を形成して、異なる形態の放熱器１ａ、１ｂ、１ｃ（図３、４、５のように）を形成でき、これにより、当該放熱器１上にある、高さの異なる段差がある放熱區１３、１４により、当該放熱器１を組み立てる時、コンピューターホスト内部の配置スペース（当該異なる高さの段差を有する放熱區１３、１４により、互いに干渉することを防止して、ホスト板上の各電子素子及びコネクタに合わせること）に合わせることができるので、元のコンピューターホスト内部のスペースに制限されず、当該放熱器１は、より容易にコンピューターホストの内部に実装され、より効率な放熱効果を実現し、これにより、上記の構成で新しい改良式放熱器が実現できる。
【０００７】
図６は、本考案の第５の実施例の立体外観概念図である。図のように、本考案の放熱器２は、ベース２１と、多数の放熱フィン２２からなり、当該多数の放熱フィン２２の一端面は、当該ベース２１の一端面に接続され、また、上へ延べる形態であり、また、当該多数の放熱フィン２２は、１以上の放熱區２３、２４に仕切れられ、また、当該１以上の放熱區２３、２４には、段差があり、また、当該多数の放熱フィン２２は、金属板体による、湾曲により、１以上の直板２２１と、多数の、直板２２１の端縁に接続する、互いに異なる高さを有する横板２２２とからなり、また、当該ベースと接続しない横板２２２上には、長い穴２２３が開口され、また、当該多数の放熱フィン２２上の長い穴２２３を形成するためには、横板２２２上に必要とする長い穴２２３を形成してから、湾曲により段差のある放熱區２３、２４を形成しても良く、また、当該多数の放熱フィン２２上の長い穴を形成するためには、横板２２２上に必要とする長い穴２２３を形成する同時に、湾曲により段差のある放熱區２３、２４を形成してもよく、これにより、当該放熱器２上にある、高さの異なる段差がある放熱區２３、２４により、当該放熱器２を組み立てる時、コンピューターホスト内部の配置スペース（当該異なる高さの段差を有する放熱區により、互いに干渉することを防止して、ホスト板上の各電子素子及びコネクタにあわせること）に合わせることができるので、元のコンピューターホスト内部のスペースに制限されず、当該放熱器２は、より容易にコンピューターホストの内部に実装され、且つ、横板２２２上にある長い穴２２３により、放熱効果を強化して、当該放熱器２の放熱効果を向上し、効率的に放熱する目的を達成する。
【０００８】
図７は、本考案の第６の実施例の立体外観概念図である。図のように、当該放熱器３は、ベース４１と、多数の、当該ベース４１の一端面から上へ延べる放熱フィン４２からなり、当該多数の放熱フィン４２は、１以上の放熱區４３、４４に仕切れられ、当該１以上の放熱區４３、４４には、段差があり、また、当該１以上の放熱區４３、４４は、金属板体による、湾曲されることにより形成され、また、放熱器４は、当該１以上の放熱區４３、４４が湾曲成形されてから、それぞれをベース４１上に設けられることにより、形成される。
【０００９】
以上の説明は、ただ、本考案のよりよい実施例であり、本考案の実施範囲を制限するものではなく、また、本考案の実用新案請求の範囲や明細書内容に従って等価修正や変更も、本考案の請求範囲に含まれている。
【図面の簡単な説明】
【００１０】
【図１】本考案の第１の実施例の立体外観概念図である。
【図２】本考案の第１の実施例の立体分解概念図である。
【図３】本考案の第２の実施例の立体外観概念図である。
【図４】本考案の第３の実施例の立体外観概念図である。
【図５】本考案の第４の実施例の立体外観概念図である。
【図６】本考案の第５の実施例の立体外観概念図である。
【図７】本考案の第６の実施例の立体外観概念図である。
【図８】従来の立体外観概念図である。
【符号の説明】
【００１１】
放熱器    １、１ａ、１ｂ、１ｃ、２、４
ベース    １１、２１、４１
放熱フィン         １２、２２、４２
直板    １２１、２２１
横板    １２２、２２２
放熱區    １３、１４、２３、２４、４３、４４
長い穴  ２２３
ベース  ３
放熱フィン  ３１
【図１】
0003102856.tif 000003
【図２】
0003102856.tif 000004
【図３】
0003102856.tif 000005
【図４】
0003102856.tif 000006
【図５】
0003102856.tif 000007
【図６】
0003102856.tif 000008
【図７】
0003102856.tif 000009
【図８】
0003102856.tif 000010